(57)【特許請求の範囲】
【請求項１】
複数のパチンコ機と、パチンコ玉を貯留する上部タンクと、前記上部タンクから溢れたパチンコ玉を貯留する貯留タンクと、該貯留タンクに貯留されたパチンコ玉を前記上部タンクに揚送する玉揚送装置と、が設置されたパチンコ島台において、
該パチンコ島台内に許容量を超えてパチンコ玉が貯留されるオーバーフロー状態を検出するオーバーフローセンサと、前記貯留タンクから前記玉揚送装置へのパチンコ玉の供給を停止する供給停止手段と、前記オーバーフローセンサでオーバーフロー状態が検出されてから前記玉揚送装置が停止するまでの間に前記玉揚送装置から排出されるパチンコ玉を貯留し得る貯留空間と、を備え、
前記供給停止手段は、駆動手段の駆動力により作動する遮蔽板で前記玉揚送装置へのパチンコ玉の供給を遮断するシャッター装置であり、
該シャッター装置は、前記遮蔽板が前記玉揚送装置へのパチンコ玉の供給を遮断する位置にあることを検知する供給停止位置検出手段と、該供給停止位置検出手段の検出信号に基づいて前記駆動手段を停止させる第１駆動停止手段と、前記駆動手段が駆動された後所定時間内に前記第１駆動停止手段により前記駆動手段が停止されていない場合に前記駆動手段の駆動を停止させる第２駆動停止手段と、を備え、
前記オーバーフローセンサの検出信号に基づいて前記供給停止手段により前記玉揚送装置へのパチンコ玉の供給が停止され、前記玉揚送装置がパチンコ玉を揚送し終える時間の経過後に前記玉揚送装置を停止させることを特徴とするパチンコ島台。
【請求項２】
複数のパチンコ機と、パチンコ玉を貯留する上部タンクと、前記上部タンクから溢れたパチンコ玉を貯留する貯留タンクと、該貯留タンクに貯留されたパチンコ玉を前記上部タンクに揚送する玉揚送装置と、が設置されたパチンコ島台において、
該パチンコ島台内に許容量を超えてパチンコ玉が貯留されるオーバーフロー状態を検出するオーバーフローセンサと、前記貯留タンクから前記玉揚送装置へのパチンコ玉の供給を停止する供給停止手段と、前記オーバーフローセンサでオーバーフロー状態が検出されてから前記玉揚送装置が停止するまでの間に前記玉揚送装置から排出されるパチンコ玉を貯留し得る貯留空間と、前記玉揚送装置内にパチンコ玉が存在するか否かを確認する確認手段と、を備え、
前記供給停止手段は、駆動手段の駆動力により作動する遮蔽板で前記玉揚送装置へのパチンコ玉の供給を遮断するシャッター装置であり、
該シャッター装置は、前記遮蔽板が前記玉揚送装置へのパチンコ玉の供給を遮断する位置にあることを検知する供給停止位置検出手段と、該供給停止位置検出手段の検出信号に基づいて前記駆動手段を停止させる第１駆動停止手段と、前記駆動手段が駆動された後所定時間内に前記第１駆動停止手段により前記駆動手段が停止されていない場合に前記駆動手段の駆動を停止させる第２駆動停止手段と、を備え、
前記オーバーフローセンサの検出信号に基づいて前記供給停止手段により前記玉揚送装置へのパチンコ玉の供給が停止され、前記確認手段により前記玉揚送装置内にパチンコ玉が存在しないことを確認した後、前記玉揚送装置を停止させることを特徴とするパチンコ島台。
【請求項３】
前記第２駆動停止手段により前記シャッター装置が停止された場合、該シャッター装置の停止を外部に報知する異常停止報知手段を備えたことを特徴とする請求項１又は請求項２記載のパチンコ島台。
【請求項４】
前記オーバーフローセンサの配線が断線した場合、断線したことを外部に報知する断線報知手段を備えたことを特徴とする請求項１乃至請求項３のいずれかに記載のパチンコ島台。
【発明の詳細な説明】
【０００１】
【発明の属する技術分野】
本発明は、複数のパチンコ機と、パチンコ玉を貯留する上部タンクと、前記上部タンクから溢れたパチンコ玉を貯留する貯留タンクと、該貯留タンクに貯留されたパチンコ玉を前記上部タンクに揚送する玉揚送装置と、が設置されたパチンコ島台に関するものである。
【０００２】
【従来の技術】
パチンコ島台において、パチンコ島台内には、十分な量のパチンコ玉を貯留することができるものであるが、突発的にパチンコ玉の量が急激に増加した場合、例えば、パチンコホールの閉店時近くに、パチンコ島台の玉返却計数器に大量のパチンコ玉が返却されたような場合には、パチンコ島台内のパチンコ玉の貯留量が許容量を超えてオーバーフローしてしまうことがある。このような場合には、玉揚送装置から排出されるパチンコ玉を貯留するスペースがなくなってしまうため、パチンコ玉を排出することができなくなり、玉揚送装置が故障するおそれがある。このため、パチンコ島台でパチンコ玉がオーバーフローした場合には、即座に玉揚送装置を停止させていた。
【０００３】
【発明が解決しようとする課題】
ところが、パチンコ島台でパチンコ玉がオーバーフローした時点で即座に玉揚送装置を停止させた場合には、玉揚送装置内にパチンコ玉が残存しており、再度、玉揚送装置を稼動させる際には、この玉揚送装置内に残存したパチンコ玉を取り除く必要がある。これは、玉揚送装置内に残存したパチンコ玉により、玉揚送装置の駆動モータへ過負荷がかかり、駆動モータを駆動できないからである。このため、玉揚送装置内に残存したパチンコ玉を取り除く作業を行っていたが、この作業は、狭い空間で行わなければならない上に、玉揚送装置内のパチンコ玉を一旦パチンコ島台の下方に落とした後に回収するというものであるため、非常に煩雑で時間のかかる作業であった。本発明は、上記した問題に鑑みなされたもので、その目的とするところは、パチンコ島台内のパチンコ玉がオーバーフローして玉揚送装置が停止した場合に、煩雑な作業をすることなく再稼動することができる玉揚送装置を備えたパチンコ島台を提供することにある。
【０００４】
【課題を解決するための手段】
上記した目的を達成するために、請求項１に記載の発明においては、複数のパチンコ機と、パチンコ玉を貯留する上部タンクと、前記上部タンクから溢れたパチンコ玉を貯留する貯留タンクと、該貯留タンクに貯留されたパチンコ玉を前記上部タンクに揚送する玉揚送装置と、が設置されたパチンコ島台において、該パチンコ島台内に許容量を超えてパチンコ玉が貯留されるオーバーフロー状態を検出するオーバーフローセンサと、前記貯留タンクから前記玉揚送装置へのパチンコ玉の供給を停止する供給停止手段と、前記オーバーフローセンサでオーバーフロー状態が検出されてから前記玉揚送装置が停止するまでの間に前記玉揚送装置から排出されるパチンコ玉を貯留し得る貯留空間と、を備え、前記供給停止手段は、駆動手段の駆動力により作動する遮蔽板で前記玉揚送装置へのパチンコ玉の供給を遮断するシャッター装置であり、該シャッター装置は、前記遮蔽板が前記玉揚送装置へのパチンコ玉の供給を遮断する位置にあることを検知する供給停止位置検出手段と、該供給停止位置検出手段の検出信号に基づいて前記駆動手段を停止させる第１駆動停止手段と、前記駆動手段が駆動された後所定時間内に前記第１駆動停止手段により前記駆動手段が停止されていない場合に前記駆動手段の駆動を停止させる第２駆動停止手段と、を備え、前記オーバーフローセンサの検出信号に基づいて前記供給停止手段により前記玉揚送装置へのパチンコ玉の供給が停止され、前記玉揚送装置がパチンコ玉を揚送し終える時間の経過後に前記玉揚送装置を停止させることを特徴とするものである。このように構成することにより、パチンコ島台内のパチンコ玉がオーバーフローの状態になった際に、玉揚送装置内にパチンコ玉が存在しない状態で玉揚送装置を停止させることができるため、従来、玉揚送装置内に残存するパチンコ玉による玉揚送装置の稼動不能を防ぐために行っていた玉揚送装置内のパチンコ玉を取り除くという煩雑な作業をすることなく、玉揚送装置を再度稼動させることができる。
【０００５】
また、オーバーフロー状態が検出されてから玉揚送装置が停止するまでの間に玉揚送装置から排出されるパチンコ玉を貯留し得る貯留空間が備えられているため、玉揚送装置が停止する前に、玉揚送装置から排出されるパチンコ玉を貯留するスペースがなくなりパチンコ玉を排出することができなくなる、ということを防止し、正常に玉揚送装置を停止させることができる。
【０００６】
また、請求項２に記載の発明においては、複数のパチンコ機と、パチンコ玉を貯留する上部タンクと、前記上部タンクから溢れたパチンコ玉を貯留する貯留タンクと、該貯留タンクに貯留されたパチンコ玉を前記上部タンクに揚送する玉揚送装置と、が設置されたパチンコ島台において、該パチンコ島台内に許容量を超えてパチンコ玉が貯留されるオーバーフロー状態を検出するオーバーフローセンサと、前記貯留タンクから前記玉揚送装置へのパチンコ玉の供給を停止する供給停止手段と、前記オーバーフローセンサでオーバーフロー状態が検出されてから前記玉揚送装置が停止するまでの間に前記玉揚送装置から排出されるパチンコ玉を貯留し得る貯留空間と、前記玉揚送装置内にパチンコ玉が存在するか否かを確認する確認手段と、を備え、前記供給停止手段は、駆動手段の駆動力により作動する遮蔽板で前記玉揚送装置へのパチンコ玉の供給を遮断するシャッター装置であり、該シャッター装置は、前記遮蔽板が前記玉揚送装置へのパチンコ玉の供給を遮断する位置にあることを検知する供給停止位置検出手段と、該供給停止位置検出手段の検出信号に基づいて前記駆動手段を停止させる第１駆動停止手段と、前記駆動手段が駆動された後所定時間内に前記第１駆動停止手段により前記駆動手段が停止されていない場合に前記駆動手段の駆動を停止させる第２駆動停止手段と、を備え、前記オーバーフローセンサの検出信号に基づいて前記供給停止手段により前記玉揚送装置へのパチンコ玉の供給が停止され、前記確認手段により前記玉揚送装置内にパチンコ玉が存在しないことを確認した後、前記玉揚送装置を停止させることを特徴とするものである。このように構成することにより、パチンコ島台内のパチンコ玉がオーバーフローの状態になった際に、玉揚送装置内にパチンコ玉が存在しない状態で玉揚送装置を停止させることができるため、従来、玉揚送装置内に残存するパチンコ玉による玉揚送装置の稼動不能を防ぐために行っていた玉揚送装置内のパチンコ玉を取り除くという煩雑な作業をすることなく、玉揚送装置を再度稼動させることができる。
【０００７】
また、オーバーフロー状態が検出されてから玉揚送装置が停止するまでの間に玉揚送装置から排出されるパチンコ玉を貯留し得る貯留空間が備えられているため、玉揚送装置が停止する前に、玉揚送装置から排出されるパチンコ玉を貯留するスペースがなくなりパチンコ玉を排出することができなくなる、ということを防止し、正常に玉揚送装置を停止させることができる。
【０００８】
また、時間等によるパチンコ玉の存在が無いことを予測して停止させるものに比べ、確認手段で玉揚送装置内のパチンコ玉の存在が無いことを確認した後に停止させるため、より確実に玉揚送装置内にパチンコ玉が残らないようにすることができる。
【０００９】
また、請求項１又は請求項２に記載の発明においては、前記供給停止手段は、駆動手段の駆動力により作動する遮蔽板で前記玉揚送装置へのパチンコ玉の供給を遮断するシャッター装置であり、該シャッター装置は、前記遮蔽板が前記玉揚送装置へのパチンコ玉の供給を遮断する位置にあることを検知する供給停止位置検出手段と、該供給停止位置検出手段の検出信号に基づいて前記駆動手段を停止させる第１駆動停止手段と、を備えたことにより、供給停止位置検出手段によりパチンコ玉の供給が停止された状態を確実に検知した後、第１駆動停止手段で駆動手段が停止されることになり、確実に玉揚送装置への供給を停止させた後、時間の経過又は確認手段で玉揚送装置内にパチンコ玉が存在しないことを確認して玉揚送装置を停止させることができる。このため、より確実に、玉揚送装置内にパチンコ玉が存在しない状態で玉揚送装置を停止させることができる。
【００１０】
また、請求項１又は請求項２に記載の発明においては、前記シャッター装置は、前記駆動手段が駆動された後、所定時間内に前記第１駆動停止手段により前記駆動手段が停止されていない場合、前記駆動手段の駆動を停止させる第２駆動停止手段を備えたことにより、パチンコ玉を遮蔽板が噛み込み、遮蔽板が供給停止位置まで移動できない場合や、供給停止位置検出手段の故障により検出できない場合等の何らかの原因により第１駆動停止手段により駆動手段を停止できない場合でも、第２駆動停止手段により駆動手段を停止することができるため、駆動し続けることによる駆動手段の破損等、シャッター装置の二次的な破損を防ぐことができる。
【００１１】
【００１２】
また、請求項３に記載の発明においては、前記第２駆動停止手段により前記シャッター装置が停止された際、該シャッター装置の停止を外部に報知する異常停止報知手段を備えたことを特徴とするものである。このように構成することにより、第２駆動停止手段によってシャッター装置が停止されたことを知ることができるため、シャッター装置に発生したトラブルを発見でき、このトラブルに対して適宜対処することができる。また、シャッター装置の異常による玉揚送装置内のパチンコ玉の残存の可能性を知ることができるため、玉揚送装置の再駆動に際して点検が必要であることを認識でき、点検作業の後、最適な状態で玉揚送装置を駆動させることができる。
【００１３】
更に、請求項４に記載の発明においては、前記オーバーフローセンサの配線が断線した際、断線したことを外部に報知する断線報知手段を備えたことを特徴とするものである。このように構成することにより、オーバーフローセンサの配線が断線していることを知ることができ、配線の修理等の対処をすることができるため、パチンコ島台内のパチンコ玉がオーバーフローとなっても検出できないという最悪の事態を防止することができる。
【００１４】
【発明の実施の形態】
以下、図面を参照して本発明の実施形態について説明する。まず、図１を参照して本実施形態に係るパチンコ島台１の概略構成について説明する。図１は、本実施形態に係るパチンコ島台１の内部を示す部分側面図である。
【００１５】
図１において、パチンコ島台１は、周知のように、直方体状に枠組み構成され、その長手方向両面に複数のパチンコ機（図示しない）を背向列設するようになっている。また、パチンコ島台１には、各パチンコ機に挟持されるように台間玉貸機（図示しない）が設けられており、この台間玉貸機はパチンコ機と１対１対応するように設けられていると共に、硬貨または紙幣、あるいはプリペイドカードまたは貯玉カードによりパチンコ玉を貸し出すようになっている。
【００１６】
また、パチンコ島台１のほぼ中央には、玉揚送装置３が立設されている。本実施形態に係る玉揚送装置３は、帯状の搬送ベルトによってパチンコ玉を揚送するものであり、その帯状の搬送ベルトがパチンコ島台１の長手方向と直交するように配置されて下部の導入樋４ａから導入したパチンコ玉を上部に研磨しながら揚送して上部の排出樋４ｂから上部タンク５に排出するものである。
【００１７】
玉揚送装置３の上部には、揚送されたパチンコ玉を一時的に貯留する上部タンク５が設けられ、該上部タンク５からは、各パチンコ機にパチンコ玉を供給するための補給樋６が、パチンコ島台１の長手方向端部に向かって傾斜状に設けられている。また、上部タンク５の側方には、交流樋（図示しない）が隣り合うパチンコ島台１と連結して設置されている。交流樋は、隣り合うパチンコ島台１とパチンコ玉の受け渡しを行うためのものであり、内部にシャッターが設置され、このシャッターが開くことによりパチンコ玉の受け渡しが行われ、シャッターを閉じることによりパチンコ玉の受け渡しが停止される。
【００１８】
しかして、玉揚送装置３により揚送されたパチンコ玉は、まず上部タンク５につながる補給樋６に最優先で送られる。補給樋６及び上部タンク５にパチンコ玉が充満し、上部タンク５でオーバーフローしたパチンコ玉は、分岐箱７に送られる。分岐箱７は、送られてきたパチンコ玉を玉揚送装置３の側方に位置するオーバーフローダクト８ａ，８ｂに分岐して誘導するものであり、まずオーバーフローダクト８ａ側に優先してパチンコ玉が誘導される。オーバーフローダクト８ａに誘導されたパチンコ玉は、オーバーフローダクト８ａ内を落下し、パチンコ島台１の下部に位置する貯留タンクとしての優先タンク９に誘導され、貯留される。優先タンク９に貯留されたパチンコ玉は、ミニコンベア１８を介して貯留タンクとしての非優先タンク１０に移送されるが、非優先タンク１０に移送されるパチンコ玉量よりも優先タンク９に誘導されるパチンコ玉量が多い場合には、優先タンク９のパチンコ玉量が次第に増加していく。貯留されるパチンコ玉量が増加し、優先タンク９及びオーバーフローダクト８ａにパチンコ玉が充満すると、次に分岐箱７でオーバーフローダクト８ｂ側にパチンコ玉が誘導される。オーバーフローダクト８ｂに誘導されたパチンコ玉は、オーバーフローダクト８ｂ内を落下し、玉揚送装置３を挟んで優先タンク９の反対側に位置する非優先タンク１０に誘導され、貯留される。非優先タンク１０に貯留されたパチンコ玉は、非優先タンク１０と玉揚送装置３との間に設けられた供給停止手段としてのシャッター装置１９を介して導入樋４から玉揚送装置３へ導入される。また、非優先タンク１０にパチンコ玉が充満すると、オーバーフローダクト８ｂにパチンコ玉が貯留されるが、オーバーフローダクト８ｂに貯留されるパチンコ玉が増加し続けると、オーバーフローダクト８ｂ内に設置されたオーバーフローセンサ３６によってパチンコ玉が検知されることとなる。なお、上部タンク５，分岐箱７及びオーバーフローダクト８ｂのオーバーフローセンサ３６より上方の空間が貯留空間を形成するものである。
【００１９】
一方、補給樋６には、各パチンコ機にパチンコ玉を誘導する分配シュート１１が各パチンコ機に対応して設けられている。分配シュート１１により取り込まれたパチンコ玉は、分配シュート１１の下方に位置する計数装置（図示しない）により玉数が計数された後、補給装置１２を介してパチンコ機の背面上部に設けられた賞球タンク（図示しない）に供給され、景品玉や遊技玉として使用される。また、補給樋６の下流端には、玉抜き用分離器１３が設けられており、補給樋６の下流端まで流下してきたパチンコ玉は、玉抜き用分離器１３から蛇腹１４を介して後述するアウト玉回収樋１５へ導出されることにより、パチンコ玉がパチンコ島台１内を循環するようになっている。この循環は、補給樋６の玉流れを良好にするために使用されるもので、主にパチンコホールの開店前にのみパチンコ玉が流されて使用される。
【００２０】
また、パチンコ機から排出される使用済みのパチンコ玉は、アウト玉回収ボックス１６で回収された後、下方に排出される。アウト玉回収ボックス１６から排出されたパチンコ玉は、パチンコ島台１の両端部からそのほぼ中央に立設される玉揚送装置３の下部に向けて下り傾斜状に設けられる前記アウト玉回収樋１５上に落下せしめられる。
【００２１】
また、パチンコ機の下部には、パチンコ島台１に対してほぼ直交するように外側に向かってカウンター台（図示しない）が突設されている。該カウンター台には、玉箱（図示しない）が載置されるものであり、また、カウンター台の下方には、パチンコ島台１の下部外観を構成する腰板（図示しない）がパチンコ島台１に対して着脱自在に設置されている。この腰板に対応する位置のパチンコ島台１内部には、アウト玉回収樋１５が位置しているため、腰板２１を取り外すことにより、アウト玉回収樋１５のメンテナンスや玉詰まり等のトラブルに対する処置を容易に行うことができる。
【００２２】
なお、アウト玉回収樋１５は、アウト玉回収ボックス１６から排出されたパチンコ玉，玉抜き用分離器１３から蛇腹１４を介して導出されたパチンコ玉及びパチンコ島台１の島端に設置された玉計数器１７から返却されるパチンコ玉をまとめて回収するものであり、簀の子状の誘導レールがパチンコ島台１の中央に長手方向に沿って敷設することにより構成されている。このアウト玉回収樋１５は、簀の子状の誘導レールに限らず、ベルトコンベア等により構成されるものであってもよい。
【００２３】
パチンコ島台１の長手方向端部の上方には、玉揚送装置３等のパチンコ島台１内に設置される複数の装置の状態を表示する島端表示ランプ３０が設置されており、上部タンク５の表面上方には、パチンコ島台１内のパチンコ玉がオーバーフロー状態であるとき等に点灯するフラッシュランプ３１が設置されている。また、パチンコ島台１の内部であって、玉揚送装置３の右側方に設置されるパチンコ機の上方には、玉揚送装置３を駆動するための電源ユニット３２が、玉揚送装置３の左側方に設置されるパチンコ機の上方には、玉揚送装置３を制御するための玉揚送装置基板３３、及びパチンコホール内に設置される一括動作パネル４０と各種基板（図３参照）との間の信号を中継する中継基板３４が設置されている。また、左側方に設置されるパチンコ機の側方には、玉揚送装置３等のパチンコ島台１内に設置される複数の装置を制御するためのスイッチパネル３５が設置されている。
【００２４】
以上、パチンコ島台１の概略構成について説明してきたが、次に、図２を参照して、上記した一括動作パネル４０，島端表示ランプ３０，玉揚送装置基板３３，中継基板３４及びスイッチパネル３５について説明する。図２は、島端表示ランプ３０，玉揚送装置基板３３，中継基板３４，スイッチパネル３５及び一括動作パネル４０の接続を示す概略図である。
【００２５】
図２において、中継基板３４には、一括動作パネル４０，スイッチパネル３５，島端表示ランプ３０及び玉揚送装置基板３３が接続されおり、玉揚送装置基板３３には、電源ユニット３２を介して玉揚送装置３及びフラッシュランプ３１が接続されている。
【００２６】
一括動作パネル４０は、パチンコホール内の事務所等に１つ設置されるものであり、パチンコホールのすべてのパチンコ島台１内に設置される玉揚送装置３，布ベルト自動巻取装置（図示しない），ヒーター（図示しない）及び玉抜き用分離器１３に対して一括して駆動又は停止を指示する信号を出力するものである。具体的には、玉揚送装置ＯＮスイッチ４０ａを押すことにより玉揚送装置３が稼動し、ＯＦＦスイッチ４０ｂを押すことにより玉揚送装置３が停止する。また、布ベルトＯＮスイッチ４０ｃを押すことにより布ベルト自動巻取装置が稼動し、布ベルトＯＦＦスイッチ４０ｄを押すことにより布ベルト自動巻取装置が停止する。また、ヒーターＯＮスイッチ４０ｅを押すことにより補給樋６に設置されたヒーターに電流が流れて加熱され、ヒーター時間設定スイッチ４０ｇにより設定された加熱時間経過後、自動的にヒーターへの電流が遮断されて停止し、加熱時間内に強制的に停止する場合には、ヒータースイッチ４０ｆを押すことにより停止する。また、玉抜きＯＮスイッチ４０ｈを押すことにより玉抜き用分離器１３が開放して補給樋６上のパチンコ玉が蛇腹１４を介してアウト玉回収樋１５上に落下され、玉抜き時間設定スイッチ４０ｆにより設定された開放時間経過後、自動的に玉抜き用分離器１３が閉塞されてパチンコ玉を停止し、開放時間内に強制的に停止する場合には、玉抜きＯＦＦスイッチ４０ｉを押すことにより停止する。また、ＯＮスイッチ４０ａ，４０ｃ，４０ｅ，４０ｈが押されるとＯＮスイッチ４０ａ，４０ｃ，４０ｅ，４０ｈが緑色に点灯し、ＯＦＦスイッチ４０ｂ，４０ｄ，４０ｆ，４０ｇが押されるとＯＮスイッチ４０ａ，４０ｃ，４０ｅ，４０ｈの点灯が消灯する。
【００２７】
スイッチパネル３５は、パチンコ島台１にそれぞれ１つずつ設置されるものであり、そのパチンコ島台１内に設置される玉揚送装置３，布ベルト自動巻取装置，ヒーター及び玉抜き用分離器１３に対して稼動又は停止を指示する信号を出力するものである。スイッチパネル３５のスイッチは、一括動作パネル４０のスイッチとは異なり、稼動又は停止の操作をそれぞれ１つのスイッチの操作により行う。具体的には、玉揚送装置スイッチ３５ａ，ヒータースイッチ３５ｂ，玉抜きスイッチ３５ｃ及び布ベルトスイッチ３５ｄが備えられ、玉揚送装置３が停止した状態でスイッチ３５ａを１回押すことにより緑色に点滅し、玉揚送装置３の駆動モータが駆動し、後述するシャッター開スイッチ７０がＯＮしたらスイッチ３５ａが緑色に点灯する。この状態で更にスイッチ３５ａを１回押すことにより緑色に点滅し、玉揚送装置３の駆動モータが停止し、後述するシャッター閉スイッチ６９がＯＮしたらスイッチ３５ａが消灯する。また、他のそれぞれの装置が停止した状態でスイッチ３５ｂ〜３５ｄを１回押すことにより、それぞれの装置が稼動し、このときスイッチ３５ｂ〜３５ｄが緑色に点灯する。この状態で更にスイッチ３５ｂ〜３５ｄを１回押すことにより、それぞれの装置が停止すると共に、スイッチ３５ｂ〜３５ｄが消灯する。なお、スイッチパネル３５には、ヒーター時間設定スイッチ４０ｇ及び玉抜き時間設定スイッチ４０ｊは、設置されていない。
【００２８】
ここで、一括動作パネル４０とスイッチパネル３５との違いについて説明する。一括動作パネル４０は、中継基板３４に信号を送るだけで、中継基板３４からは信号を受けない一方向のものであるのに対し、スイッチパネル３５は、中継基板３４からの信号を受ける双方向のものである。スイッチパネル３５は、パチンコ島台１毎に設置されているため、そのパチンコ島台１の装置に対応した表示が可能となるが、一括動作パネル４０は、それが不可能であるため一方向になっている。中継基板３４からスイッチパネル３５に送られる信号とは、玉揚送装置３，布ベルト自動巻取装置，ヒーター及び玉抜き用分離器１３に故障等の何らかのトラブルが発生したときに発せられるものであり、この信号により、対応する装置のスイッチ３５ａ〜３５ｄが赤色に点灯し、各装置が異常状態であることを報知する。
【００２９】
中継基板３４には、玉揚送装置３の駆動のタイミングを設定するための玉揚送装置遅延設定用スイッチ３４ａ，玉揚送装置３の異常を報知する玉揚送装置異常表示器３４ｂ，ヒーターの異常を報知するヒーター異常表示器３４ｃ，玉抜き用分離器１３の異常を報知する玉抜き異常表示器３４ｄ及び布ベルト自動巻取装置の異常を報知する布ベルト異常表示器３４ｅが備えられている。
【００３０】
玉揚送装置遅延設定スイッチ３４ａは、ロータリー式のスイッチであり、スイッチパネル３５又は一括動作パネル４０からの玉揚送装置３の稼動指示信号を受けてから実際に玉揚送装置３の駆動モータを駆動するまでの時間を設定するものである。例えば、玉揚送装置遅延設定用スイッチ３４ａの矢印を０の位置にした場合には、稼動指示信号を受けた時点で玉揚送装置３の駆動モータを駆動させ、また、玉揚送装置遅延設定用スイッチ３４ａの矢印を１の位置にした場合には、稼動指示信号を受けた時点から約１秒後に玉揚送装置３の駆動モータを駆動させる。このように、玉揚送装置遅延設定用スイッチ３４ａの設定値にしたがって、稼動指示信号を受けた時点から玉揚送装置３の駆動モータが駆動されるまでの時間が変化するものである。
【００３１】
異常表示器３４ａ〜３４ｄは、７セグメント表示のＬＥＤにより構成されるものであり、各装置に異常が発生した場合に、異常の種類に対応した数字を表示することにより異常を外部に報知するものである。
【００３２】
島端表示ランプ３０は、パチンコ島台１内に設置される各装置の状態を外部に報知するものであり、玉揚送装置３の稼動，停止，異常の状態を報知する玉揚送装置表示部３０ａ，パチンコ島台１内に貯留されるパチンコ玉の貯留量を報知する玉量表示部３０ｂ，隣り合うパチンコ島台１に掛け渡される交流樋内のシャッターの開放，閉塞，異常の状態を報知する島交流シャッター表示部３０ｃ，補給樋６のヒーターの稼動，停止，異常の状態を報知するヒーター表示部３０ｄ，玉抜き用分離器１３の開放，閉塞，異常の状態を報知する玉抜き表示部３０ｅ，ミニコンベア１８の稼動，停止，異常の状態を報知するミニコン表示部３０ｆ及び布ベルト自動巻取装置の稼動，停止，異常の状態を報知する巻取表示部３０ｇが設置されている。各装置が正常に稼動（開放も含む）している場合には、各表示部３０ａ〜３０ｇは、緑色に点灯し、停止（閉塞も含む）している場合には、消灯する。また、各装置に何らかの異常が発生して正常に稼動していない場合には、各表示部３０ａ〜３０ｇは、赤色に点灯して異常であることを報知する。なお、玉量表示部３０ｂは、５つのランプが玉量の増加に従って段階的に１から５の順に点灯していくものである。
【００３３】
玉揚送装置基板３３は、玉揚送装置３及びシャッター装置１９を操作するためのものであり、自動操作と手動操作を切り替える切替スイッチ３３ａ，シャッター装置１９を手動により開閉するシャッター手動スイッチ３３ｂ及び玉揚送装置３の駆動モータの駆動・停止を手動により行う玉揚送装置手動スイッチ３３ｃが設置されている。切替スイッチ３３ａを手動にした場合には、シャッター手動スイッチ３３ｂ及び玉揚送装置手動スイッチ３３ｃによる操作が可能となり、切替スイッチ３３ａを自動にした場合には、シャッター手動スイッチ３３ｂ及び玉揚送装置手動スイッチ３３ｃによる操作ができなくなり、中継基板３４からの信号により、玉揚送装置３及びシャッター装置１９が制御されることとなる。シャッター手動スイッチ３３ｂ及び玉揚送装置手動スイッチ３３ｃは、玉揚送装置３，シャッター装置１９に何らかの異常が発生して正常に駆動できなくなったような場合、異常を除去する等のために強制的に玉揚送装置３，シャッター装置１９を駆動させるものである。
【００３４】
次に、制御系の構成について、図３を参照して説明する。図３は、実施形態に係るパチンコ島台１の制御系を示すブロック図である。
【００３５】
図３において、中継基板３４は、各種の制御処理を行うＣＰＵ４１，ＣＰＵ４１で実行される各種制御プログラムやデータ等を記憶するＲＯＭ４２，ＣＰＵ４１の動作に必要な一定周期のパルス信号を出力するクロック４３及び入出力ポート４４を備えている。更に、前述したように、玉揚送装置遅延設定用スイッチ３４ａ，玉揚送装置異常表示器３４ｂ，ヒーター異常表示器３４ｃ，玉抜き異常表示器３４ｄ及び布ベルト異常表示器３４ｅが備えられ、入出力ポートに接続されている。中継基板３４には、前述したように島端表示ランプ３０，玉揚送装置基板３３，スイッチパネル３５及び一括動作パネル４０が入出力ポート４４を介して接続されている。また、ヒーターを制御するためのヒーター基板４５，玉抜き用分離器１３を制御するための玉抜き基板４６及び布ベルト自動巻取装置を制御するための布ベルト基板４７が入出力ポート４４を介して接続されている。また、玉揚送装置基板３３には、前述した電源ユニット３２の他に、シャッター装置１９を制御するためのシャッター基板４８及びパチンコ島台１内でのパチンコ玉のオーバーフローを検知するためのオーバーフローセンサ３６が接続されている。
【００３６】
中継基板３４は、一括動作パネル４０又はスイッチパネル３５から出力される各装置の稼動・停止指示信号を受けて玉揚送装置基板３３，ヒーター基板４５，玉抜き基板４６及び布ベルト基板４７に稼動・停止指示信号を出力すると共に、島端表示ランプ３０及びスイッチパネル３５に各装置の状態を知らせる報知信号を出力する。また、各装置に何らかの異常が発生したときには、玉揚送装置基板３３，ヒーター基板４５，玉抜き基板４６及び布ベルト基板４７から出力される異常である旨の異常信号を受信し、スイッチパネル３５及び島端表示ランプ３０へ出力して各装置に対応するランプを赤色に点灯させると共に、中継基板３４自身の玉揚送装置異常表示器３４ｂ，ヒーター異常表示器３４ｃ，玉抜き異常表示器３４ｄ及び布ベルト異常表示器３４ｅに異常の種類に対応した数字を表示するものである。更に、玉揚送装置遅延設定用スイッチ３４ａにより設定された、スイッチパネル３５又は一括動作パネル４０からの玉揚送装置３の稼動指示信号を受けてから実際に玉揚送装置３の駆動モータを駆動するまでの時間を遅延させて稼動信号を、入出力ポート４４を介して玉揚送装置基板３３に出力するものである。
【００３７】
玉揚送装置基板３３は、オーバーフローセンサ３６からの信号を受けたとき、即ち、パチンコ島台１内でパチンコ玉がオーバーフローとなったときに、シャッター基板４８に信号を出力してシャッター装置１９を閉じると共に、電源ユニット３２を介してフラッシュランプ３１に信号を出力して点灯させ、更に、中継基板３４にオーバーフローである旨の異常信号出力を行い、玉揚送装置３を停止させる処理を行う。
【００３８】
次に、開閉することにより、非優先タンク１０から玉揚送装置３へパチンコ玉を導入したりあるいは、玉揚送装置３へのパチンコ玉の移送を遮断するシャッター装置１９について、図４を参照して説明する。図４は、シャッター装置１９が開いた状態及び閉じた状態の正面図である。
【００３９】
シャッター装置１９は、非優先タンク１０のパチンコ玉の排出口と玉揚送装置３の導入樋４ａとの間に介装されるものであり、非優先タンク１０側に取り付けられるベース部６０と、ベース部６０に取り付けられるスライド部６１と、から構成されている。
【００４０】
ベース部６０は、長方形状の板材により形成されるベース板６２から構成されるものであり、ベース板６２の両側方の上部及び下部には、ベース板６２を非優先タンク１０に取り付けるための取付穴６３が穿設され、上下方向中央からやや下方には、パチンコ玉が通過する開口部６４が穿設されている。また、上方であって、両側方からやや中央よりの位置には、スライド部６１を取り付けるための取付突起６５が突設されている。この取付突起６５の側方には、取り付けたスライド部６１を固定するための偏心つまみ６６が取り付けられ、偏心つまみ６６の斜め下方には、偏心つまみ６６の回転を規制する規制突起６７が突設されている。
【００４１】
スライド部６１は、ベース部６０に取り付けられるブラケット７２と、ブラケット７２に対して上下方向に摺動自在に支持されるスライド板７５と、スライド板７５に取り付けられる遮蔽板７７と、スイッチ基板８３等の電気部品が取り付けられる取付部（図示しない）と、から構成されている。
【００４２】
ブラケット７２は、断面がＬ字形状の板材を平板で連結したものであり、ベース部６０への取り付け面には、取付穴（図示しない）が穿設され、スライド板７５を取り付ける面には、ローラ７１が取り付けられている。スライド板７５は、板材の下端部以外の周囲を曲げ起こして形成したものであり、前記ローラ７１上を上下方向に摺動するものである。スライド板７５のほぼ中央には、スライド板７５に対して上下方向で摺動自在なラック取付板８０が取り付けられている。ラック取付板８０は、断面がＬ字形状のものであり、図中手前に折り曲げられた部分の上端は、スライド板７５の上部とスプリング８２により連結されている。また、図中手前に折り曲げられた部分の左側面には、ラック７９が取り付けられ、右側面には、上下方向のほぼ中央がコ字形状に折り曲げられた接触突起８１が取り付けられている。また、スライド板７５の下端部には、遮蔽板７７を取り付けるための取付穴（図示しない）が穿設されている。遮蔽板７７は、ほぼ正方形状の板材で形成されるものであり、その上部には、遮蔽板開口部７８が穿設されると共に、上端部には、取付突起７６が突設されている。
【００４３】
更に、ブラケット７２には、スライド板７５を覆うように図示しない取付部が取り付けられている。取付部の表面側には、駆動手段としてのシャッターモータ（図示しない）及びシャッターモータを制御するシャッター基板４８（図３参照）が取り付けられ、取付部の裏面側、即ち、スライド板７５側には、断面がＬ字形状のスイッチ取付板６８が取り付けられている。このスイッチ取付板６８には、スイッチ基板８３が取り付けられており、スイッチ基板８３の上端には、供給停止位置検出手段としてのシャッター閉スイッチ６９が、下端には、シャッター開スイッチ７０が取り付けられている。また、シャッターモータのモータ軸７４が取付部を貫通してスライド板７５側に突出しており、このモータ軸７４の先端には、ピニオン７３が取り付けられ、ピニオン７３は、ラック７９と噛み合っている。
【００４４】
しかして、シャッター装置１９を組み立てるには、まず、非優先タンク１０側面にベース部６０を取り付ける。ベース部６０の偏心つまみ６６を外側に回転させて、両側方の偏心つまみ６６の間にスライド部６１が入る位置にする。そして、遮蔽板７７の取付突起７６をスライド板７５の取付穴に挿入することにより、予めスライド板７５に遮蔽板７７を取り付けておく。この状態でブラケット７２の取付穴をベース板６２の取付突起６５に挿入することにより、スライド部６１をベース部６０に取り付ける。偏心つまみ６６を内側に回転させて偏心つまみ６６とベース板６２とでブラケット７２を挟持することにより、スライド部６１がベース部６０に固定されることとなる。
【００４５】
上記のように組み立てられたシャッター装置１９にシャッター閉塞の信号が入力された場合、シャッターモータが反時計方向に回転してスライド板７５及び遮蔽板７７が上昇し、図４（Ａ）に示すように、遮蔽板７７によって開口部６４が閉塞されると共に、接触突起８１によってシャッター閉スイッチ６９が押圧されてＯＮとなり、このＯＮ信号によりシャッターモータが停止される。
【００４６】
また、シャッター装置１９にシャッター開放の信号が入力された場合には、シャッターモータが時計方向に回転してスライド板７５及び遮蔽板７７が下降し、図４（Ｂ）に示すように、遮蔽板開口部７８が開口部６４部分に位置することにより開口部６４が開放されると共に、接触突起８１によってシャッター開スイッチ７０が押圧されてＯＮとなり、このＯＮ信号によりシャッターモータが停止される。
【００４７】
次に、中継基板３４及び玉揚送装置基板３３により繰り返し行われる制御処理について図５乃至図１０を参照して説明する。図５は、中継基板により行われる中継基板玉揚送装置処理のルーチンであり、図６は、玉揚送装置基板で行われる玉揚送装置基板処理のメインルーチンであり、図７は、シャッター異常処理を示すサブルーチンであり、図８は、玉揚送装置稼動処理を示すサブルーチンであり、図９は、玉揚送装置停止処理を示すサブルーチンであり、図１０は、シャッター閉塞処理を示すサブルーチンである。
【００４８】
先ず、図５に示す中継基板玉揚送装置処理において、ステップ１０では、玉揚送装置基板３３からスタンバイ信号出力があるか否かが判別される。このスタンバイ信号は、玉揚送装置基板３３が正常に動作しているときに出力される信号である。ステップ１０でスタンバイ信号出力がないと判別された場合には、玉揚送装置基板３３に電源が供給されていないか、何らかの故障で正常に動作していないため、ステップ１１で玉揚送装置異常表示器３４ｂに「９」を番号表示すると共に、玉揚送装置表示部３０ａ及び玉揚送装置スイッチ３５ａを赤色に点灯した後、制御を終了する。スタンバイ信号出力があると判別された場合には、ステップ１２に進む。ステップ１２では、玉揚送装置基板３３から異常信号出力があるか否かが判別され、異常信号出力がないと判別された場合には、ステップ１３で中継基板３４の玉揚送装置異常表示器３４ｂを消灯すると共に、玉揚送装置表示部３０ａ及び玉揚送装置スイッチ３５ａの赤色を消灯してステップ１５に進む。異常信号出力があると判別された場合には、ステップ１４で玉揚送装置異常表示器３４ｂに異常信号の種類に応じた番号表示をすると共に、玉揚送装置表示部３０ａ及び玉揚送装置スイッチ３５ａを赤色に点灯した後、ステップ１５に進む。なお、玉揚送装置異常表示器３４ｂに表示される異常信号の種類に応じた番号表示については後述する。
【００４９】
ステップ１５では、玉揚送装置基板３３から稼動中信号出力があるか否かが判別され、稼動中信号出力があると判別された場合には、ステップ１６で玉揚送装置表示部３０ａ及び玉揚送装置スイッチ３５ａを緑色に点灯してステップ１８に進む。稼動中信号出力がないと判別された場合には、ステップ１７で玉揚送装置表示部３０ａ及び玉揚送装置スイッチ３５ａを消灯してステップ１８に進む。ステップ１８では、布ベルト自動巻取装置が稼動中か否かが判別され、稼動中であると判別された場合には、制御を終了するが、これは、布ベルト自動巻取装置により布ベルトの巻き取りを行っている場合には、玉揚送装置３が稼動しないよう設定されているためである。布ベルト自動巻取装置が稼動中でないと判別された場合には、ステップ１９に進む。ステップ１９では、一括動作パネル４０又はスイッチパネル３５の人為的操作により玉揚送装置３の稼動入力がされたか否か、つまり、稼動指示信号出力があるか否かが判別され、稼動指示信号出力があると判別された場合には、ステップ２０に進む。ステップ２０では、玉揚送装置基板３３から稼動中信号出力があるか否かが判別され、稼動中信号出力がないと判別された場合には、玉揚送装置基板３３へ玉揚送装置３の稼動信号を出力した後、制御を終了する。ステップ２０で稼動中信号出力があると判別された場合には、そのまま制御を終了する。このように、ステップ１９で玉揚送装置３の稼動指示信号出力があっても、玉揚送装置３が停止中でなければ、ステップ２１の玉揚送装置基板３３への稼動信号出力は行われない。
【００５０】
一方、ステップ１９で玉揚送装置３の稼動指示信号出力がないと判別された場合には、ステップ２２に進む。ステップ２２では、一括動作パネル４０又はスイッチパネル３５の人為的操作により玉揚送装置３の停止入力がされたか否か、つまり、停止指示信号出力があるか否かが判別され、停止指示信号出力があると判別された場合には、ステップ２３に進む。ステップ２３では、玉揚送装置基板３３から稼動中信号出力があるか否かが判別され、稼動中信号出力があると判別された場合には、玉揚送装置基板３３へ玉揚送装置３の停止信号を出力した後、制御を終了する。ステップ２２で停止指示信号出力がないと判別された場合及びステップ２３で稼動中信号出力がないと判別された場合には、そのまま制御を終了する。このように、ステップ２２で玉揚送装置３の停止指示信号出力があっても、玉揚送装置３が稼動中でなければ、ステップ２４の玉揚送装置基板３３への停止信号出力は行われない。
【００５１】
次に、図６に示す玉揚送装置基板処理において、ステップ３０では、玉揚送装置基板３３の回路が正常であるか否かが判別される。正常でないと判別された場合には、そのまま制御を終了し、正常であると判別された場合には、ステップ３１で中継基板３４にスタンバイ信号を出力（ステップ１０参照）した後、ステップ３２でシャッター異常処理のサブルーチンを行う。シャッター異常処理のサブルーチンにおいては、図７のステップ５０でシャッター異常があるか否かが判別される。シャッター異常があるか否かは、後述する玉揚送装置稼動処理又は玉揚送装置停止処理において異常信号出力があるか否かを判別することにより行う。ステップ５０でシャッター異常がないと判別された場合には、そのままシャッター異常処理のサブルーチンを抜けて玉揚送装置基板処理のステップ３３に進む。シャッター異常があると判別された場合には、ステップ５１に進み、シャッター開異常が解消されたか否かが判別される。シャッター開異常とは、シャッター装置１９を開放するためにシャッターモータが駆動された後、所定時間が経過してもシャッター開スイッチ７０がＯＮしない場合であり、シャッター開異常を解消するための作業としては、玉揚送装置基板３３において切替スイッチ３３ａを手動モードに切り替え、シャッター手動スイッチ３３ｂを操作してシャッター装置１９が動作するかを確認する。動作しなければシャッター装置１９のスライド部材６１を交換し、動作してシャッター開スイッチ７０がＯＮすれば異常が解消される。異常が解消した場合には、ステップ５２で中継基板への異常信号出力が停止された後、ステップ５３で中継基板３４への稼動中信号出力が行われ、ステップ５４に進む。玉揚送装置３は、シャッター開スイッチ７０がＯＮしたときに稼動と定義しているため、シャッター開異常が解消した時点でステップ５３の中継基板３４への稼動中信号出力が行われる。なお、シャッター開異常が一度解消されたら、その後、シャッター装置１９を手動で操作し、シャッター開スイッチ７０をＯＦＦさせても、玉揚送装置３の稼動扱いは変わらない。一方、ステップ５１でシャッター開異常が解消されていないと判別された場合には、ステップ５２及びステップ５３が実行されることなく、ステップ５４に進む。
【００５２】
ステップ５４では、シャッター閉異常が解消されたか否かが判別される。シャッター閉異常とは、シャッター装置１９を閉塞するためにシャッターモータが駆動された後、所定時間が経過してもシャッター閉スイッチ６９がＯＮしない場合であり、シャッター閉異常を解消するための作業としては、玉揚送装置基板３３において切替スイッチ３３ａを手動モードに切り替え、シャッター手動スイッチ３３ｂを操作してシャッター装置１９が動作するかを確認する。動作しなければシャッター装置１９のスライド部材６１を交換し、動作してシャッター閉スイッチ６９がＯＮすれば異常が解消される。異常が解消した場合には、ステップ５５で中継基板への異常信号出力が停止された後、ステップ５６で中継基板３４への稼動中信号出力が停止され、シャッター異常処理のサブルーチンを抜ける。玉揚送装置３は、シャッター閉スイッチ６９がＯＮしたときに停止と定義しているため、シャッター閉異常が解消した時点でステップ５６の中継基板３４への稼動出力が停止される。なお、シャッター閉異常が一度解消されたら、その後、シャッター装置１９を手動で操作し、シャッター閉スイッチ６９をＯＦＦさせても、玉揚送装置３の停止扱いは変わらない。一方、ステップ５４でシャッター閉異常が解消されていないと判別された場合には、ステップ５５及びステップ５６が実行されることなく、シャッター異常処理のサブルーチンを抜ける。
【００５３】
図６の玉揚送装置基板処理に戻り、ステップ３２のシャッター異常処理を抜けた後、ステップ３３では、オーバーフローセンサ３６が断線しているか否かが判別され、断線していると判別された場合には、ステップ３５で中継基板３４へオーバーフローセンサ断線異常信号を出力した後、後述するステップ４２へ進む。ここで、ステップ３５で出力されたオーバーフローセンサ断線異常信号は、図５のステップ１２において受信され、ステップ１４で玉揚送装置異常表示器３４ｂに「１」を表示すると共に、玉揚送装置表示部３０ａ及び玉揚送装置スイッチ３５ａを赤色に点灯してオーバーフローセンサ断線異常であることを外部に報知する。この玉揚送装置異常表示器３４ｂ，玉揚送装置表示部３０ａ及び玉揚送装置スイッチ３５ａが断線報知手段を構成するものである。また、オーバーフローセンサ断線異常とは、センサが断線していたり、コネクタが抜けている等の状態をいう。一方、ステップ３３で断線していないと判断された場合には、ステップ３４で中継基板３４へのオーバーフローセンサ断線異常信号の出力を停止し、ステップ３６へ進む。ステップ３６では、オーバーフローセンサ３６がＯＮしたか否か、即ち、パチンコ島台１内のパチンコ玉の貯留量が許容範囲を超えてオーバーフローしているか否かが判別される。オーバーフローセンサ３６がＯＮしていると判別された場合には、ステップ３９でフラッシュランプ３１を点灯し、ステップ４０で中継基板３４へオーバーフロー異常信号を出力した後、後述するステップ４１の玉揚送装置停止処理のサブルーチンへ進む。ここで、ステップ４０で出力されたオーバーフロー異常信号は、図５のステップ１２において受信され、ステップ１４で玉揚送装置異常表示器３４ｂに「２」を表示すると共に、玉揚送装置表示部３０ａ及び玉揚送装置スイッチ３５ａを赤色に点灯してオーバーフロー異常であることを外部に報知する。一方、オーバーフローセンサ３６がＯＮしていないと判別された場合には、ステップ３７でフラッシュランプ３１を消灯した後、ステップ３８で中継基板３４へのオーバーフロー異常信号の出力を停止し、ステップ４２へ進む。
【００５４】
ステップ４２では、フラッシュランプ３１が点灯しているか否かが判別される。なお、フラッシュランプ３１が点灯している場合、玉揚送装置３は、オーバーロード異常の状態にある。オーバーロード異常とは、玉揚送装置３への異物混入や搬送ベルトの破損により玉揚送装置３に過電流が流れて電源ユニット３２のブレーカが落ちる状態をいい、ブレーカが落ちるとフラッシュランプ３１の回路がとじるため、フラッシュランプ３１がＯＮとなって点灯する。ステップ４２でフラッシュランプ３１が点灯していると判別された場合には、ステップ４４で中継基板３４へオーバーロード異常信号を出力した後、後述するステップ４５のシャッター閉塞処理のサブルーチンへ進む。ここで、ステップ４４で出力されたオーバーロード異常信号は、図５のステップ１２において受信され、ステップ１４で玉揚送装置異常表示器３４ｂに「３」を表示すると共に、玉揚送装置表示部３０ａ及び玉揚送装置スイッチ３５ａを赤色に点灯してオーバーロード異常であることを外部に報知する。一方、フラッシュランプ３１がＯＮしていないと判別された場合には、ステップ４３で中継基板３４へのオーバーロード異常の出力を停止し、ステップ４６へ進む。
【００５５】
ステップ４６では、中継基板３４からの玉揚送装置３の稼動信号出力があるか否かが判別され、稼動信号出力があると判別された場合には、ステップ４７の玉揚送装置稼動処理のサブルーチンへ進む。一方、稼動信号出力がないと判別された場合には、ステップ４８で中継基板３４からの玉揚送装置３の停止信号出力があるか否かが判別される。停止信号出力がないと判別された場合には、玉揚送装置基板処理の制御を終了し、停止信号出力があると判別された場合には、ステップ４１で玉揚送装置停止処理のサブルーチンへ進む。
【００５６】
次に、玉揚送装置３に異常が発生しておらず、中継基板３４から稼動信号出力がされている場合に実行されるステップ４７の玉揚送装置稼動処理のサブルーチンについて説明する。図８に示す玉揚送装置稼動処理において、ステップ６０で玉揚送装置３の駆動モータが始動して玉揚送装置が駆動し、ステップ６１でタイマー０１がスタートする。タイマー０１がスタートした後、ステップ６２でタイマー０１が５秒経過したか否かが５秒経過するまで行われる。この５秒という時間は、玉揚送装置３の駆動モータが始動した後、駆動モータにより周回する搬送ベルトが一定回転速度になるまでに十分な時間である。タイマー０１が５秒経過すると、ステップ６３でタイマー０２がスタートし、ステップ６４でシャッター装置１９を開放するために、シャッターモータが開放駆動を始める。シャッターモータが開放駆動を始めると、ステップ６５でシャッター開スイッチ７０がＯＮされたか否かが判別され、ＯＮされたと判別された場合には、ステップ６６で中継基板３４に対して玉揚送装置３の稼動中信号出力が行われた後、ステップ６７でシャッターモータが停止される。前述したように、玉揚送装置３は、シャッター開スイッチ７０がＯＮしたときに稼動と定義しているため、中継基板３４に対して玉揚送装置３の稼動中信号出力が行われる。
【００５７】
一方、ステップ６５でシャッター開スイッチ７０がＯＮされないと判別された場合には、ステップ６８でタイマー０２が１０秒経過したか否かが判別される。この１０秒という時間は、シャッター装置１９のシャッターモータが始動した後、シャッター開スイッチ７０がＯＮするまでの時間よりも十分に長い時間である。タイマー０２が１０秒経過するまでは、ステップ６５及びステップ６８を繰り返すが、ステップ６８でタイマー０２が１０秒経過したと判別されたとき、即ち、シャッター開スイッチ７０がＯＮすることなく１０秒が経過したときは、シャッター装置１９に何らかの異常が発生したことになるため、ステップ６９で中継基板３４に異常信号出力が行われ、この後、ステップ６７でシャッターモータが停止される。ここで、ステップ６９の異常信号出力は、図５のステップ１２において受信され、ステップ１４で玉揚送装置異常表示器３４ｂに「４」を表示すると共に、玉揚送装置表示部３０ａ及び玉揚送装置スイッチ３５ａを赤色に点灯してシャッター開異常であることを外部に報知する。なお、シャッター開スイッチ７０がＯＮしない場合の原因として、シャッター装置１９でのパチンコ玉の噛み込みやシャッター装置１９自体の老朽化等がある。ステップ６７でシャッターモータが停止されると、玉揚送装置稼動処理のサブルーチンから抜けて、玉揚送装置基板処理の制御が終了する。このように、シャッター開スイッチ７０がＯＮしない場合は、中継基板に対して稼動中信号出力が行われず、玉揚送装置３は稼動とみなされないが、シャッター開スイッチ７０を人為的な操作でＯＮすれば、ステップ５３で稼動中信号の出力が行われ、稼動扱いとなる。
【００５８】
次に、パチンコ島台１内のパチンコ玉がオーバーフローとなり、玉揚送装置基板３３から中継基板３４に異常信号出力が行われた場合、あるいは、玉揚送装置基板３３に中継基板３４から停止信号出力が行われた場合に実行される玉揚送装置停止処理のサブルーチンについて説明する。図９に示す玉揚送装置停止処理において、ステップ７０でタイマー０１がスタートし、ステップ７１でタイマー０２がスタートし、ステップ７２でシャッター装置１９を閉塞するために、シャッターモータが閉塞駆動を始める。シャッターモータが閉塞駆動を始めると、ステップ７３でシャッター閉スイッチ６９がＯＮされたか否かが判別され、ＯＮされたと判別された場合には、ステップ７４でシャッターモータが停止される。なお、このステップ７３からステップ７４にかけての制御が第１駆動停止手段を構成するものである。
【００５９】
一方、ステップ７３でシャッター閉スイッチ６９がＯＮされないと判別された場合には、ステップ７９でタイマー０２が１０秒経過したか否かが判別される。この１０秒という時間は、シャッター装置１９のシャッターモータが始動した後、シャッター閉スイッチ６９がＯＮするまでの時間よりも十分に長い時間である。タイマー０２が１０秒経過するまでは、ステップ７３及びステップ７９を繰り返すが、ステップ７９でタイマー０２が１０秒経過したと判別されたとき、即ち、シャッター閉スイッチ６９がＯＮすることなく１０秒が経過したときは、シャッター装置１９に何らかの異常が発生したことになるため、ステップ８０で中継基板３４に異常信号出力が行われ、この後、ステップ７４でシャッターモータが停止される。このステップ７９，ステップ８０及びステップ７４にかけての制御が第２駆動停止手段を構成するものである。ここで、ステップ８０の異常信号出力は、図５のステップ１２において受信され、ステップ１４で玉揚送装置異常表示器３４ｂに「４」を表示すると共に、玉揚送装置表示部３０ａ及び玉揚送装置スイッチ３５ａを赤色に点灯してシャッター閉異常であることを外部に報知する。この玉揚送装置異常表示器３４ｂ，玉揚送装置表示部３０ａ及び玉揚送装置スイッチ３５ａが異常停止報知手段を構成するものである。なお、シャッター閉スイッチ６９がＯＮしない場合の原因として、シャッター装置１９でのパチンコ玉の噛み込みやシャッター装置１９自体の老朽化等がある。
【００６０】
シャッターモータが停止された後、ステップ７５でタイマー０１が２０秒経過したか否かが判別される。この２０秒という時間は、シャッター装置１９のシャッターモータが始動した後、玉揚送装置３内のすべてのパチンコ玉が排出される等、玉揚送装置停止処理のすべての処理が十分に完了するのに必要な時間である。タイマー０１が２０秒経過するまでステップ７５が繰り返され、タイマー０１が２０秒経過したと判断された場合、ステップ７６で玉揚送装置３の駆動モータが停止されて玉揚送装置３が停止する。従って、この２０秒という時間が、玉揚送装置３へのパチンコ玉の供給が停止され、玉揚送装置３がパチンコ玉を揚送し終えて停止させるまでの所定時間である。玉揚送装置３が停止した後、ステップ７７でシャッター閉スイッチ６９がＯＮされたか否かが判別され、ＯＮされたと判別された場合には、ステップ７８で中継基板３４に対して玉揚送装置３の稼動中信号出力が停止された後、玉揚送装置稼動処理のサブルーチンから抜けて、玉揚送装置基板処理の制御が終了する。前述したように、玉揚送装置３は、シャッター閉スイッチ６９がＯＮしたときに稼動を停止と定義しているため、中継基板３４に対する玉揚送装置３の稼動中信号出力が停止される。
【００６１】
一方、ステップ７７でシャッター閉スイッチ６９がＯＮされていないと判別された場合には、中継基板３４に対する玉揚送装置３の稼動中信号出力が停止されることなく、玉揚送装置稼動処理のサブルーチンから抜けて、玉揚送装置基板処理の制御が終了する。なお、ステップ７７でシャッター閉スイッチ６９がＯＮされていないと判別された場合には、玉揚送装置３が実際に停止されていても中継基板に対しては、玉揚送装置３は稼動扱いになっている。これは、玉揚送装置３が稼動扱いになっているときには、布ベルト自動巻取装置が稼動できない設定になっており、即ち、シャッター閉スイッチ６９がＯＮされていない場合には、布ベルト自動巻取装置を稼動させないためである。シャッター閉スイッチ６９がＯＮされていない場合には、何らかの原因でシャッター装置１９が閉塞されず、停止した玉揚送装置３内にパチンコ玉が残存している可能性がある。この状態で布ベルト自動巻取装置を駆動させた場合、パチンコ玉の負荷により布ベルト自動巻取装置のモータに過電流が流れて焼き付いてしまう危険性があるため、シャッター閉スイッチ６９がＯＮされていない場合には、布ベルト自動巻取装置を駆動できないようにしている。稼動扱いは、シャッター閉スイッチ６９を人為的な操作でＯＮすれば、ステップ５６で稼動中信号の出力停止が行われ、停止扱いとなる。
【００６２】
次に、玉揚送装置３がオーバーロード異常の状態となり、玉揚送装置基板から中継基板へ異常信号出力が行われた場合に実行されるシャッター閉塞処理のサブルーチンについて説明する。図１０に示すシャッター閉塞処理において、ステップ９０でタイマーがスタートし、ステップ９１でシャッター装置１９を閉塞するために、シャッターモータが閉塞駆動を始める。シャッターモータが閉塞駆動を始めると、ステップ９２でシャッター閉スイッチ６９がＯＮされたか否かが判別され、ＯＮされたと判別された場合には、ステップ９３でシャッターモータが停止される。
【００６３】
一方、ステップ９２でシャッター閉スイッチ６９がＯＮされないと判別された場合には、ステップ９６でタイマーが１０秒経過したか否かが判別される。この１０秒という時間は、玉揚送装置停止処理の場合と同様、シャッター装置１９のシャッターモータが始動した後、シャッター閉スイッチ６９がＯＮするまでの時間よりも十分に長い時間である。タイマーが１０秒経過するまでは、ステップ９２及びステップ９６を繰り返すが、ステップ９６でタイマーが１０秒経過したと判別されたとき、即ち、シャッター閉スイッチ６９がＯＮすることなく１０秒が経過したときは、シャッター装置１９に何らかの異常が発生したことになるため、ステップ９７で中継基板３４に異常信号出力が行われ、この後、ステップ９３でシャッターモータが停止される。ここで、ステップ９７の異常信号出力は、図５のステップ１２において受信され、ステップ１４で玉揚送装置異常表示器３４ｂに「４」を表示すると共に、玉揚送装置表示部３０ａ及び玉揚送装置スイッチ３５ａを赤色に点灯してシャッター閉異常であることを外部に報知する。
【００６４】
シャッターモータが停止された後、ステップ９４でシャッター閉スイッチ６９がＯＮされたか否かが判別され、ＯＮされたと判別された場合には、ステップ９５で中継基板３４に対して玉揚送装置３の稼動中信号出力が停止された後、シャッター閉塞処理のサブルーチンから抜けて、シャッター閉塞処理の制御が終了する。前述したように、玉揚送装置３は、シャッター閉スイッチ６９がＯＮしたときに稼動を停止と定義しているため、中継基板３４に対する玉揚送装置３の稼動中信号出力が停止される。一方、ステップ９４でシャッター閉スイッチ６９がＯＮされていないと判別された場合には、中継基板３４に対する玉揚送装置３の稼動中信号出力が停止されることなく、シャッター閉塞処理のサブルーチンから抜けて、シャッター閉塞処理の制御が終了する。なお、玉揚送装置停止処理と同様の理由により、シャッター閉スイッチ６９がＯＮされていない場合には、布ベルト自動巻取装置を駆動できないようにしている。このシャッター閉塞処理は、玉揚送装置３がオーバーロード異常で強制停止した場合、再度、玉揚送装置３が稼動する前にシャッターを閉塞することを忘れることがないようにするため、オーバーロード異常になったらシャッターを予め閉塞するのである。
【００６５】
次に、上記した制御により行われる玉揚送装置３の作用について説明すると、先ず、パチンコ島台１内のパチンコ玉の貯留量が増加し、オーバーフローダクト８ｂ内に設置されたオーバーフローセンサ３６によってパチンコ玉が検知されると、フラッシュランプ３１が点灯すると共に、玉揚送装置異常表示器３４ｂに「２」を表示し、玉揚送装置表示部３０ａ及び玉揚送装置スイッチ３５ａを赤色に点灯して外部にオーバーフローが報知されると共に、シャッター装置１９が閉塞駆動を開始する。閉塞駆動開始後、シャッター装置１９が閉塞して非優先タンク１０から玉揚送装置３へのパチンコ玉の供給が遮断され、シャッター装置１９のシャッター閉スイッチ６９がＯＮすることによりシャッター装置１９の閉塞駆動が停止する。そして、シャッター装置１９の閉塞駆動が停止した後、所定時間（本実施形態では、閉塞駆動開始時から２０秒）が経過すると玉揚送装置３が停止する。このように、玉揚送装置３をシャッター装置１９の閉塞駆動が停止したと同時に停止させるのではなく、閉塞駆動の停止後、所定時間経過後に玉揚送装置３を停止させるため、玉揚送装置内にパチンコ玉が存在しない状態で玉揚送装置が停止する。このため、玉揚送装置３内に残存するパチンコ玉により玉揚送装置が稼動できなくなることを防ぐために、玉揚送装置内のパチンコ玉を取り除くという煩雑な作業をすることなく、玉揚送装置３を再度稼動させることができる。
【００６６】
また、シャッター装置１９の閉塞駆動の停止後、所定時間経過までの間に玉揚送装置３から排出されるパチンコ玉は、貯留空間である上部タンク５，分岐箱７及びオーバーフローダクト８ｂのオーバーフローセンサ３６より上方の空間に貯留されるが、この貯留空間は、シャッター装置１９の閉塞駆動の停止後、所定時間経過までの間に玉揚送装置３から排出されるパチンコ玉よりも十分に多くのパチンコ玉を貯留することができるため、玉揚送装置が停止する前に、玉揚送装置から排出されるパチンコ玉を貯留するスペースがなくなりパチンコ玉を排出することができなくなる、ということがない。
【００６７】
また、シャッター装置１９が閉塞駆動を開始した後、何らかの原因でシャッター閉スイッチ６９がＯＮしない場合であっても、所定時間（本実施形態では、１０秒）が経過するとシャッター装置１９のシャッターモータを停止させると共に、玉揚送装置異常表示器３４ｂに「４」を表示し、玉揚送装置表示部３０ａ及び玉揚送装置スイッチ３５ａを赤色に点灯してシャッター閉異常であることを外部に報知する。このため、シャッターモータの破損等、シャッター装置１９の二次的な破損を防ぐことができる。また、シャッター閉異常によりシャッター装置１９のシャッターモータが停止されたことを知ることができるため、シャッター装置１９に発生したトラブルを発見でき、このトラブルに対して適宜対処することができる。
【００６８】
なお、上記した実施形態においては、シャッター装置１９の閉塞駆動が停止した後、所定時間が経過すると玉揚送装置３を停止させるものを示したが、このようなものに限らず、センサにより玉揚送装置３内にパチンコ玉が存在しないことを確認した後、玉揚送装置３を停止させるものであってもよい。例えば、玉揚送装置３の排出樋４ｂの手前にある屈曲部の外側表面に、玉揚送装置３によって揚送されてきたパチンコ玉の通過を検出する確認手段としての玉通路センサ（図示しない）を取り付け、この玉通路センサがパチンコ玉を検出しなくなってから所定時間経過後に玉揚送装置３を停止させるものであってもよい。また、上記した実施形態においては、ステップ７０でタイマー０１をスタートしているものを示したが、ステップ７４の後にステップ７０を設けてタイマー０１をスタートさせるようなものでもよく、シャッター装置１９が閉塞して残ったパチンコ玉を揚送し終える時間の経過後に駆動モータが停止されればタイマー０１のスタートはどこからでもよい。
【００６９】
以上、パチンコ島台の詳細な構成について説明してきたが、本実施形態においては、複数のパチンコ機と、パチンコ玉を貯留する上部タンク５と、前記上部タンク５から溢れたパチンコ玉を貯留する貯留タンクとしての非優先タンク１０と、該貯留タンクとしての非優先タンク１０に貯留されたパチンコ玉を前記上部タンク５に揚送する玉揚送装置３と、が設置されたパチンコ島台１において、該パチンコ島台１内に許容量を超えてパチンコ玉が貯留されるオーバーフロー状態を検出するオーバーフローセンサ３６と、前記貯留タンクとしての非優先タンク１０から前記玉揚送装置３へのパチンコ玉の供給を停止する供給停止手段としてのシャッター装置１９と、前記オーバーフローセンサ３６でオーバーフロー状態が検出されてから前記玉揚送装置３が停止するまでの間に前記玉揚送装置３から排出されるパチンコ玉を貯留し得る貯留空間としての上部タンク５，分岐箱７及びオーバーフローダクト８ａのオーバーフローセンサ３６より上方の空間と、を備え、前記オーバーフローセンサ３６の検出信号に基づいて前記供給停止手段としてのシャッター装置１９により前記玉揚送装置３へのパチンコ玉の供給が停止され、前記玉揚送装置がパチンコ玉を揚送し終える時間の経過後に停止させることを特徴とするものである。このように構成することにより、パチンコ島台１内のパチンコ玉がオーバーフローの状態になった際に、玉揚送装置３内にパチンコ玉が存在しない状態で玉揚送装置３を停止させることができるため、従来、玉揚送装置３内に残存するパチンコ玉による玉揚送装置３の稼動不能を防ぐために行っていた玉揚送装置３内のパチンコ玉を取り除くという煩雑な作業をすることなく、玉揚送装置３を再度稼動させることができる。
【００７０】
また、オーバーフロー状態が検出されてから玉揚送装置３が停止するまでの間に玉揚送装置３から排出されるパチンコ玉を貯留し得る貯留空間としての上部タンク５，分岐箱７及びオーバーフローダクト８ａのオーバーフローセンサ３６より上方の空間が備えられているため、玉揚送装置３が停止する前に、玉揚送装置３から排出されるパチンコ玉を貯留するスペースがなくなりパチンコ玉を排出することができなくなる、ということを防止し、正常に玉揚送装置３を停止させることができる。
【００７１】
また、本実施形態においては、複数のパチンコ機と、パチンコ玉を貯留する上部タンク５と、前記上部タンク５から溢れたパチンコ玉を貯留する貯留タンクとしての非優先タンク１０と、該貯留タンクとしての非優先タンク１０に貯留されたパチンコ玉を前記上部タンク５に揚送する玉揚送装置３と、が設置されたパチンコ島台１において、該パチンコ島台１内に許容量を超えてパチンコ玉が貯留されるオーバーフロー状態を検出するオーバーフローセンサ３６と、前記貯留タンクとしての非優先タンク１０から前記玉揚送装置３へのパチンコ玉の供給を停止する供給停止手段としてのシャッター装置１９と、前記オーバーフローセンサ３６でオーバーフロー状態が検出されてから前記玉揚送装置３が停止するまでの間に前記玉揚送装置３から排出されるパチンコ玉を貯留し得る貯留空間としての上部タンク５，分岐箱７及びオーバーフローダクト８ａのオーバーフローセンサ３６より上方の空間と、前記玉揚送装置３内にパチンコ玉が存在するか否かを確認する確認手段としての玉通路センサと、を備え、前記オーバーフローセンサ３６の検出信号に基づいて前記供給停止手段としてのシャッター装置１９により前記玉揚送装置３へのパチンコ玉の供給が停止され、前記確認手段としての玉通路センサにより前記玉揚送装置３内にパチンコ玉が存在しないことを確認した後、前記玉揚送装置３を停止させることを特徴とするものである。このように構成することにより、パチンコ島台１内のパチンコ玉がオーバーフローの状態になった際に、玉揚送装置３内にパチンコ玉が存在しない状態で玉揚送装置３を停止させることができるため、従来、玉揚送装置３内に残存するパチンコ玉による玉揚送装置３の稼動不能を防ぐために行っていた玉揚送装置３内のパチンコ玉を取り除くという煩雑な作業をすることなく、玉揚送装置３を再度稼動させることができる。
【００７２】
また、オーバーフロー状態が検出されてから玉揚送装置３が停止するまでの間に玉揚送装置３から排出されるパチンコ玉を貯留し得る貯留空間としての上部タンク５，分岐箱７及びオーバーフローダクト８ａのオーバーフローセンサ３６より上方の空間が備えられているため、玉揚送装置３が停止する前に、玉揚送装置３から排出されるパチンコ玉を貯留するスペースがなくなりパチンコ玉を排出することができなくなる、ということを防止し、正常に玉揚送装置３を停止させることができる。
【００７３】
また、時間等によるパチンコ玉の存在が無いことを予測して停止させるものに比べ、確認手段で玉揚送装置３内のパチンコ玉の存在が無いことを確認した後に停止させるため、より確実に玉揚送装置３内にパチンコ玉が残らないようにすることができる。
【００７４】
また、本実施形態においては、前記供給停止手段は、駆動手段としてのシャッターモータの駆動力により作動する遮蔽板７７で前記玉揚送装置３へのパチンコ玉の供給を遮断するシャッター装置１９であり、該シャッター装置１９は、前記遮蔽板７７が前記玉揚送装置３へのパチンコ玉の供給を遮断する位置にあることを検知する供給停止位置検出手段としての閉スイッチ６９と、該供給停止位置検出手段としての閉スイッチ６９の検出信号に基づいて前記駆動手段としてのシャッターモータを停止させる第１駆動停止手段と、を備えたことを特徴とするものである。このように構成することにより、供給停止位置検出手段としての閉スイッチ６９によりパチンコ玉の供給が停止された状態を確実に検知した後、第１駆動停止手段で駆動手段が停止されることになり、確実に玉揚送装置３への供給を停止させた後、時間の経過又は確認手段としての玉通過センサで玉揚送装置内にパチンコ玉が存在しないことを確認して玉揚送装置３を停止させることができる。このため、より確実に、玉揚送装置３内にパチンコ玉が存在しない状態で玉揚送装置３を停止させることができる。
【００７５】
また、本実施形態においては、前記シャッター装置１９は、前記駆動手段としてのシャッターモータが駆動された後、所定時間内に前記第１駆動停止手段により前記駆動手段が停止されていない場合、前記駆動手段の駆動を停止させる第２駆動停止手段を備えたことを特徴とするものである。このように構成することにより、パチンコ玉を遮蔽板７７が噛み込み、遮蔽板７７が供給停止位置まで移動できない場合や、供給停止位置検出手段の故障により検出できない場合等の何らかの原因により第１駆動停止手段により駆動手段を停止できない場合でも、第２駆動停止手段により駆動手段としてのシャッターモータを停止することができるため、駆動し続けることによる駆動手段としてのシャッターモータの破損等、シャッター装置１９の二次的な破損を防ぐことができる。
【００７６】
また、第２駆動停止手段により、パチンコ玉がオーバーフローの状態にあるパチンコ島台の玉揚送装置３を停止させることができる。
【００７７】
また、本実施形態においては、前記第２駆動停止手段により前記シャッター装置１９が停止された際、該シャッター装置１９の停止を外部に報知する異常停止報知手段としての玉揚送装置異常表示器３４ｂ，玉揚送装置表示部３０ａ及び玉揚送装置スイッチ３５ａを備えたことを特徴とするものである。このように構成することにより、第２駆動停止手段によってシャッター装置１９が停止されたことを知ることができるため、シャッター装置１９に発生したトラブルを発見でき、このトラブルに対して適宜対処することができる。また、シャッター装置１９の異常による玉揚送装置３内のパチンコ玉の残存の可能性を知ることができるため、玉揚送装置３の再駆動に際して点検が必要であることを認識でき、点検作業の後、最適な状態で玉揚送装置３を駆動させることができる。
【００７８】
更に、本実施形態においては、前記オーバーフローセンサ３６の配線が断線した際、断線したことを外部に報知する断線報知手段としての玉揚送装置異常表示器３４ｂ，玉揚送装置表示部３０ａ及び玉揚送装置スイッチ３５ａを備えたことを特徴とするものである。このように構成することにより、オーバーフローセンサ３６の配線が断線していることを知ることでき、配線の修理等の対処をすることができるため、パチンコ島台１内のパチンコ玉がオーバーフローとなっても検出できないという最悪の事態を防止することができる。
【００７９】
なお、上記した実施形態においては、玉揚送装置３へのパチンコ玉の供給を停止する供給停止手段としてシャッター装置１９を示したが、シャッター装置１９に限らず、貯留タンクの下流端に設けられ、貯留タンクに貯留されたパチンコ玉を玉揚送装置に向けて揚送するミニコンベアのようなものであってもよい。この場合には、ミニコンベアを停止させることにより、玉揚送装置へのパチンコ玉の供給を停止させることとなる。
【００８０】
また、上記した実施形態においては、シャッター装置１９の遮蔽板７７は、上下動するものを示したが、上下動するものに限らず、左右に作動するもの等であってもよい。
【００８１】
【発明の効果】
以上、説明したところから明らかなように、請求項１に記載の発明においては、複数のパチンコ機と、パチンコ玉を貯留する上部タンクと、前記上部タンクから溢れたパチンコ玉を貯留する貯留タンクと、該貯留タンクに貯留されたパチンコ玉を前記上部タンクに揚送する玉揚送装置と、が設置されたパチンコ島台において、該パチンコ島台内に許容量を超えてパチンコ玉が貯留されるオーバーフロー状態を検出するオーバーフローセンサと、前記貯留タンクから前記玉揚送装置へのパチンコ玉の供給を停止する供給停止手段と、前記オーバーフローセンサでオーバーフロー状態が検出されてから前記玉揚送装置が停止するまでの間に前記玉揚送装置から排出されるパチンコ玉を貯留し得る貯留空間と、を備え、前記供給停止手段は、駆動手段の駆動力により作動する遮蔽板で前記玉揚送装置へのパチンコ玉の供給を遮断するシャッター装置であり、該シャッター装置は、前記遮蔽板が前記玉揚送装置へのパチンコ玉の供給を遮断する位置にあることを検知する供給停止位置検出手段と、該供給停止位置検出手段の検出信号に基づいて前記駆動手段を停止させる第１駆動停止手段と、前記駆動手段が駆動された後所定時間内に前記第１駆動停止手段により前記駆動手段が停止されていない場合に前記駆動手段の駆動を停止させる第２駆動停止手段と、を備え、前記オーバーフローセンサの検出信号に基づいて前記供給停止手段により前記玉揚送装置へのパチンコ玉の供給が停止され、前記玉揚送装置がパチンコ玉を揚送し終える時間の経過後に前記玉揚送装置を停止させることにより、パチンコ島台内のパチンコ玉がオーバーフローの状態になった際に、玉揚送装置内にパチンコ玉が存在しない状態で玉揚送装置を停止させることができるため、従来、玉揚送装置内に残存するパチンコ玉による玉揚送装置の稼動不能を防ぐために行っていた玉揚送装置内のパチンコ玉を取り除くという煩雑な作業をすることなく、玉揚送装置を再度稼動させることができる。
【００８２】
また、オーバーフロー状態が検出されてから玉揚送装置が停止するまでの間に玉揚送装置から排出されるパチンコ玉を貯留し得る貯留空間が備えられているため、玉揚送装置が停止する前に、玉揚送装置から排出されるパチンコ玉を貯留するスペースがなくなりパチンコ玉を排出することができなくなる、ということを防止し、正常に玉揚送装置を停止させることができる。
【００８３】
また、請求項２に記載の発明においては、複数のパチンコ機と、パチンコ玉を貯留する上部タンクと、前記上部タンクから溢れたパチンコ玉を貯留する貯留タンクと、該貯留タンクに貯留されたパチンコ玉を前記上部タンクに揚送する玉揚送装置と、が設置されたパチンコ島台において、該パチンコ島台内に許容量を超えてパチンコ玉が貯留されるオーバーフロー状態を検出するオーバーフローセンサと、前記貯留タンクから前記玉揚送装置へのパチンコ玉の供給を停止する供給停止手段と、前記オーバーフローセンサでオーバーフロー状態が検出されてから前記玉揚送装置が停止するまでの間に前記玉揚送装置から排出されるパチンコ玉を貯留し得る貯留空間と、前記玉揚送装置内にパチンコ玉が存在するか否かを確認する確認手段と、を備え、前記供給停止手段は、駆動手段の駆動力により作動する遮蔽板で前記玉揚送装置へのパチンコ玉の供給を遮断するシャッター装置であり、該シャッター装置は、前記遮蔽板が前記玉揚送装置へのパチンコ玉の供給を遮断する位置にあることを検知する供給停止位置検出手段と、該供給停止位置検出手段の検出信号に基づいて前記駆動手段を停止させる第１駆動停止手段と、前記駆動手段が駆動された後所定時間内に前記第１駆動停止手段により前記駆動手段が停止されていない場合に前記駆動手段の駆動を停止させる第２駆動停止手段と、を備え、前記オーバーフローセンサの検出信号に基づいて前記供給停止手段により前記玉揚送装置へのパチンコ玉の供給が停止され、前記確認手段により前記玉揚送装置内にパチンコ玉が存在しないことを確認した後、前記玉揚送装置を停止させることにより、パチンコ島台内のパチンコ玉がオーバーフローの状態になった際に、玉揚送装置内にパチンコ玉が存在しない状態で玉揚送装置を停止させることができるため、従来、玉揚送装置内に残存するパチンコ玉による玉揚送装置の稼動不能を防ぐために行っていた玉揚送装置内のパチンコ玉を取り除くという煩雑な作業をすることなく、玉揚送装置を再度稼動させることができる。
【００８４】
また、オーバーフロー状態が検出されてから玉揚送装置が停止するまでの間に玉揚送装置から排出されるパチンコ玉を貯留し得る貯留空間が備えられているため、玉揚送装置が停止する前に、玉揚送装置から排出されるパチンコ玉を貯留するスペースがなくなりパチンコ玉を排出することができなくなる、ということを防止し、正常に玉揚送装置を停止させることができる。
【００８５】
また、時間等によるパチンコ玉の存在が無いことを予測して停止させるものに比べ、確認手段で玉揚送装置内のパチンコ玉の存在が無いことを確認した後に停止させるため、より確実に玉揚送装置内にパチンコ玉が残らないようにすることができる。
【００８６】
また、請求項１又は請求項２に記載の発明においては、前記供給停止手段は、駆動手段の駆動力により作動する遮蔽板で前記玉揚送装置へのパチンコ玉の供給を遮断するシャッター装置であり、該シャッター装置は、前記遮蔽板が前記玉揚送装置へのパチンコ玉の供給を遮断する位置にあることを検知する供給停止位置検出手段と、該供給停止位置検出手段の検出信号に基づいて前記駆動手段を停止させる第１駆動停止手段と、を備えたことにより、供給停止位置検出手段によりパチンコ玉の供給が停止された状態を確実に検知した後、第１駆動停止手段で駆動手段が停止されることになり、確実に玉揚送装置への供給を停止させた後、時間の経過又は確認手段で玉揚送装置内にパチンコ玉が存在しないことを確認して玉揚送装置を停止させることができる。このため、より確実に、玉揚送装置内にパチンコ玉が存在しない状態で玉揚送装置を停止させることができる。
【００８７】
また、請求項１又は請求項２に記載の発明においては、前記シャッター装置は、前記駆動手段が駆動された後、所定時間内に前記第１駆動停止手段により前記駆動手段が停止されていない場合、前記駆動手段の駆動を停止させる第２駆動停止手段を備えたことにより、パチンコ玉を遮蔽板が噛み込み、遮蔽板が供給停止位置まで移動できない場合や、供給停止位置検出手段の故障により検出できない場合等の何らかの原因により第１駆動停止手段により駆動手段を停止できない場合でも、第２駆動停止手段により駆動手段を停止することができるため、駆動し続けることによる駆動手段の破損等、シャッター装置の二次的な破損を防ぐことができる。
【００８８】
【００８９】
また、請求項３に記載の発明においては、前記第２駆動停止手段により前記シャッター装置が停止された際、該シャッター装置の停止を外部に報知する異常停止報知手段を備えたことにより、第２駆動停止手段によってシャッター装置が停止されたことを知ることができるため、シャッター装置に発生したトラブルを発見でき、このトラブルに対して適宜対処することができる。また、シャッター装置の異常による玉揚送装置内のパチンコ玉の残存の可能性を知ることができるため、玉揚送装置の再駆動に際して点検が必要であることを認識でき、点検作業の後、最適な状態で玉揚送装置を駆動させることができる。
【００９０】
更に、請求項４に記載の発明においては、前記オーバーフローセンサの配線が断線した際、断線したことを外部に報知する断線報知手段を備えたことにより、オーバーフローセンサの配線が断線していることを知ることができ、配線の修理等の対処をすることができるため、パチンコ島台内のパチンコ玉がオーバーフローとなっても検出できないという最悪の事態を防止することができる。
【図面の簡単な説明】
【図１】  本実施形態に係るパチンコ島台の内部を示す部分側面図である。
【図２】  島端表示ランプ，玉揚送装置基板，中継基板，スイッチパネル及びホールコンピュータに設けられる一括動作パネルの接続を示す概略図である。
【図３】  実施形態に係るパチンコ島台の制御系を示すブロック図である。
【図４】  シャッター装置が開いた状態及び閉じた状態の正面図である。
【図５】  中継基板により行われる中継基板玉揚送装置処理のルーチンである。
【図６】  玉揚送装置基板で行われる玉揚送装置基板処理のメインルーチンである。
【図７】  シャッター異常処理を示すサブルーチンである。
【図８】  玉揚送装置稼動処理を示すサブルーチンである。
【図９】  玉揚送装置停止処理を示すサブルーチンである。
【図１０】  シャッター閉塞処理を示すサブルーチンである。
【符号の説明】
１  パチンコ島台
３  玉揚送装置
５  上部タンク
７  分岐樋
８ａ  オーバーフローダクト
１０  非優先タンク
１９  シャッター装置
３０  島台表示ランプ
３０ａ  玉揚送装置表示部
３１  フラッシュランプ
３２  電源ユニット
３３  玉揚送装置基板
３４  中継基板
３４ｂ  玉揚送装置異常表示器
３５  スイッチパネル
３５ａ  玉揚送装置スイッチ
３６  オーバーフローセンサ
４０  一括動作パネル
６９  閉スイッチ
７７  遮蔽板
【図１】
0004682427.tif 000002
【図２】
0004682427.tif 000003
【図３】
0004682427.tif 000004
【図４】
0004682427.tif 000005
【図５】
0004682427.tif 000006
【図６】
0004682427.tif 000007
【図７】
0004682427.tif 000008
【図８】
0004682427.tif 000009
【図９】
0004682427.tif 000010
【図１０】
0004682427.tif 000011